(57)【要約】【課題】  利便性に優れたヘアドライヤーとスタンドを提供すること。【解決手段】  両側壁に凹設部を設けたヘアドライヤー本体と、凹設部と対向する位置に凸設部を設けた一対の支承部及び内部にコード巻取器を有するスタンド本体とを備え、前記スタンド本体には、前記コード巻取器から導出し前記ヘアドライヤー本体に連結する給電コードと、コード巻取器から導出し商用交流電源に接続する電源コードを有し、前記支承部と凹設部を弾性係合してヘアドライヤー本体を着脱自在に挟持させた構成としたものである。【選択図】図３
2010240020.tif 000002
【特許請求の範囲】
【請求項１】
両側壁に凹設部を設けたヘアドライヤー本体と、凹設部と対向する位置に凸設部を設けた一対の支承部及び内部にコード巻取器を有するスタンド本体とを備え、前記スタンド本体には、前記コード巻取器から導出し前記ヘアドライヤー本体に連結する給電コードと、コード巻取器から導出し商用交流電源に接続する電源コードを有し、前記支承部と凹設部を弾性係合してヘアドライヤー本体を着脱自在に挟持することを特徴とするヘアドライヤー装置。
【請求項２】
前記支承部を前記スタンド本体の上部に形成し、前記コード巻取器を前記スタンド本体内部の下部に配設することを特徴とする請求項１に記載のヘアドライヤー装置。
【請求項３】
前記支承部を形成し、一方前記コード巻取器は、給電コード及び電源コードを扁平状に巻き取るものであって、この扁平面は前記支承部の延設方向と交差することを特徴とする請求項１または２に記載のヘアドライヤー装置。
【請求項４】
前記凸設部の外表面には滑り止め部材を有することを特徴とする請求項１から３のいずれか１項に記載のヘアドライヤー装置。
【請求項５】
前記スタンド本体に壁掛け部を形成することを特徴とする請求項１から４のいずれか１項に記載のヘアドライヤー装置。
【請求項６】
前記ヘアドライヤー本体を前記スタンド本体に弾性係合し角度可変するものにおいて、ヘアドライヤー本体の外側面を形成する筒状ケースを最下位置に回動した時、前記ヘアドライヤー本体の水平方向と前記スタンド本体の載置面が並行位置又は小仰角位置で停止することを特徴とする請求項１から５のいずれか１項に記載のヘアドライヤー装置。
【請求項７】
前記ヘアドライヤー本体の筒状ケースが前記スタンド本体の載置面が並行位置にあるときに、前記ヘアドライヤー本体の全長が前記スタンド本体の全長寸法内に収設することを特徴とする請求項１から６のいずれか１項に記載のヘアドライヤー装置。
【請求項８】
前記コード巻取器にて、スタンド本体のコードリール部とヘアドライヤー本体のコードリール部から形成され、２つのコード接続端子を介して、スタンド本体のコードリール部とヘアドライヤー本体のコードリール部を接続することを特徴とする請求項１から７のいずれか１項に記載のヘアドライヤー装置。
【発明の詳細な説明】
【技術分野】
【０００１】
本発明は、コードリール巻取器付きのヘアドライヤー装置に関する。
【背景技術】
【０００２】
ヘアドライヤーは、一般的な使い方として、使用者は取っ手を片方の手で掴み、送風口より温風、或いは冷風を頭髪の所望の位置に送風するものである。さらに他のドライヤーには、載置した状態でも使用可能なスタンド型ドライヤーと呼ばれるものもある。
【０００３】
例えば、下記の特許文献１によれば、スタンドからドライヤーの取っ手に相当するグリップ体の抜き差しを円滑に行い、ドライヤーをスタンドに起立状態に載置した場合に操作表示部の視認性を良好に保つことができる保持台を有するドライヤーが開示されている。
【先行技術文献】
【特許文献】
【０００４】
【特許文献１】特許第４０４４１６２号公報
【発明の概要】
【発明が解決しようとする課題】
【０００５】
しかしながら、このようなドライヤーでは、スタンドに載置した使用状態において、必要に応じて電源コードの長さを調節できない。つまり、電源コードが短い場合は、ドライヤー本体のグリップ体を掴んで手元までドライヤー本体を持ってくるのに不便さを伴う。また電源コードが長い場合は、収納する際に邪魔であり、ドライヤーの利便性が悪い。
【０００６】
本発明は、上記事情を鑑みたもので、使い勝手の優れたヘアドライヤー装置を提供することを目的とする。
【課題を解決するための手段】
【０００７】
請求項１記載のヘアドライヤー装置は、両側壁に凹設部を設けたヘアドライヤー本体と、凹設部と対向する位置に凸設部を設けた一対の支承部及び内部にコード巻取器を有するスタンド本体とを備え、前記スタンド本体には、前記コード巻取器から導出し前記ヘアドライヤー本体に連結する給電コードと、コード巻取器から導出し商用交流電源に接続する電源コードを有し、前記支承部と凹設部を弾性係合してヘアドライヤー本体を着脱自在に挟持することを特徴とする。
【０００８】
この構成によると、ヘアドライヤー本体の凹設部とスタンド本体の凸設部に設けた支承部とが弾性係合することによって、ヘアドライヤー本体を挟持し、ハンズフリーで使用可能となる。また、両手が自由に使えることによって、ブロー時の速乾性が大幅に向上し、整髪作業が簡単に出来る。さらに、ヘアドライヤー本体に連結する給電コードとスタンド本体内の電源コードを所望の長さに引き出し、且つ目的に応じてヘアドライヤー本体をスタンド本体に挟持させ、或いはヘアドライヤー本体をスタンド本体から取り出して使用することが出来る。
【０００９】
請求項２記載のヘアドライヤー装置は、前記支承部を前記スタンド本体の上部に形成し、前記コード巻取器を前記スタンド本体内部の下部に配設することを特徴とする。
【００１０】
この構成によると、ヘアドライヤー本体をスタンド本体の上方から簡単に着脱でき、コード巻取器と繋がった給電コードと電源コードをスタンド本体から弛みを少なくし収納できる。
【００１１】
請求項３記載のヘアドライヤー装置は、前記支承部を形成し、一方前記コード巻取器は、給電コード及び電源コードを扁平状に巻き取るものであって、このコード巻取器は前記支承部の延設方向と交差することを特徴とする。
【００１２】
この構成によると、コード巻取器は、扁平状態に給電コード及び電源コードを巻き取れることで、給電コード及び電源コードが巻き取られた扁平面は、前記支承部の延設方向と交差することでスタンド本体内の空間をコンパクトに使用できる。
【００１３】
請求項４記載のヘアドライヤー装置は、前記凸設部の外表面に滑り止め部材を有することを特徴とする。
【００１４】
この構成によると、ヘアドライヤー本体をスタンド本体の取付け時において、ヘアドライヤー本体がスタンド本体から滑り落ちたり、ヘアドライヤー本体が所定位置からずれたりするのを防止する。
【００１５】
請求項５記載のヘアドライヤー装置は、前記スタンド本体に壁掛け部を形成することを特徴とする。
【００１６】
この構成によると、スタンド本体の壁掛け部により、ヘアドライヤー装置を壁に引っ掛け状態で使用することが可能となり、ハンズフリーで髪をブロー出来る。この為、室内等の限られたスペースを有効に利用できる。
【００１７】
請求項６記載のヘアドライヤー装置は、前記ヘアドライヤー本体を前記スタンド本体に弾性係合し角度可変するものにおいて、ヘアドライヤー本体の外側面を形成する筒状ケースを最下位置に回動した時、前記ヘアドライヤー本体の水平方向と前記スタンド本体の載置面が並行位置又は小仰角位置で停止することを特徴とする。
【００１８】
この構成によると、ヘアドライヤー装置の不使用時において、ヘアドライヤー本体をスタンド本体にコンパクトに収納できるようになっているため、ヘアドライヤー装置を持ち運びしやすい。
【００１９】
請求項７記載のヘアドライヤー装置は、ヘアドライヤー本体の筒状ケースが前記スタンド本体の載置面が並行位置にあるときに、前記ヘアドライヤー本体の全長が前記スタンド本体の全長寸法内に収設することを特徴とする。
【００２０】
この構成によると、ヘアドライヤー装置の不使用時において、ヘアドライヤー本体がスタンド本体から飛び出さず、見栄えの良い収納状態となる。
【００２１】
請求項８記載のヘアドライヤー装置は、前記コード巻取器にて、スタンド本体のコードリール部とヘアドライヤー本体のコードリール部から形成され、２つのコード接続端子を介して、スタンド本体のコードリール部とヘアドライヤー本体のコードリール部を接続することを特徴とする。
【００２２】
この構成によると、給電コードと電源コードの巻取りが容易に行えるので、ヘアドライヤー装置をコンパクトとし、使い易さも向上する。
【発明の効果】
【００２３】
本発明は、上記構成を備えることにより、以下の優れた効果を奏する。即ち、両側壁に凹設部を設けたヘアドライヤー本体と一対の支承部を設けたスタンド本体を弾性係合してヘアドライヤー本体を挟持することが可能となる為、ヘアドライヤー本体をスタンド本体に挟んだままで使用可能となる。また、ヘアドライヤー本体のみ手で掴んで使用することも可能で、片手で髪をブローしたい時、両手で髪をブローしたい時等、使用者のニーズに応じた髪のブロースタイルを実現する。また、ヘアドライヤー装置は壁掛け部を設けているため、壁等に引っ掛けて使用しても同様の効果を奏し、髪のブロースタイルの選択の幅を広げる。さらには、スタンド本体内にコード巻取器を採用したことによって、ヘアドライヤー装置自体をコンパクトに出来るので、収納や持ち運びも容易となり、取り扱いの良さ、使い易さに極めて優れた効果を発揮するため、使用者は快適に髪のブローを行える。
【図面の簡単な説明】
【００２４】
【図１】ヘアドライヤー本体２の平面図
【図２】ヘアドライヤー本体２の側面図
【図３】ヘアドライヤー装置１の正面図
【図４】ヘアドライヤー装置１の平面図
【図５】図３のヘアドライヤー装置１をＡ−Ａ線で切断した断面図
【図６】図３のヘアドライヤー装置１を使用状態でＡ−Ａ線で切断した断面図
【発明を実施するための形態】
【００２５】
以下、図面を参照して、本発明の実施形態に係るヘアドライヤー装置を説明する。但し、以下に示す実施形態は、本発明の技術的思想を具体化するためのヘアドライヤー装置を例示するものであって、本発明をこのヘアドライヤー装置に特定することを意図するものではなく、特許請求の範囲に含まれるその他の実施形態のもの等にも等しく適用し得るものである。
【実施例】
【００２６】
図１は本発明の一実施形態に係わるヘアドライヤー本体の平面図、図２は本発明の一実施形態に係わるヘアドライヤー本体の側面図、図３は本発明の一実施形態に係わるヘアドライヤー装置の正面図、図４は本発明の一実施形態に係わるヘアドライヤー装置の平面図、図５は本発明の一実施形態に係わる図３のヘアドライヤー装置をＡ−Ａ線で切断した断面図、図６は本発明の一実施形態に係わる図３のヘアドライヤー装置を使用状態でＡ−Ａ線で切断した断面図である。
【００２７】
本発明に関わるヘアドライヤー装置１は、ヘアドライヤー本体２とスタンド本体とを備えるが、まずヘアドライヤー本体２について説明する。
【００２８】
図１は、本発明の一実施例に係るヘアドライヤー本体２の平面図である。
【００２９】
ヘアドライヤー本体２は、その外側壁に合成樹脂材料からなる筒状ケース３を形成する。前記筒状ケース３は、外側壁の中央付近に凹設部４を対称位置に設ける。
【００３０】
電源スイッチ５は、ヘアドライヤー本体２に電力を供給する起動スイッチである。ヘアドライヤーを使用する際は、この電源スイッチ５をＯＮにする。
【００３１】
給電コード６は、ヘアドライヤー本体２に電源を供給する線である。
【００３２】
ヘアドライヤー本体２から送出される風は、吹出口７より送出される。
【００３３】
図２は、本発明の一実施例に係るヘアドライヤー本体２の側面図である。
【００３４】
前記凹設部４は、筒状ケース３の外側壁の胴体中央付近から給電コード６が突設する方向に略楕円形の滑らかな凹みを形成する。凹設部４も筒状ケース３と同様に合成樹脂材料からなる。
【００３５】
ヘアドライヤー本体２は、吹出口７から最も離れたところから順にファン、モータ、ヒータが配置されるのであるが、図示は省略してある。モータがファンを回転させると、ヘアドライヤー本体２の後部に位置する給電コード６側から吸い込んだ空気を吹出口７を通して吹き出す構造となっている。この際に吸い込まれた空気は、ヒータによって所定温度に加熱され、温風となって吹き出される。また、ヒータと吹出口７の間の位置にはマイナスイオン発生素子が配置され、必要に応じ空気にマイナスイオンを混入させられるようになっている。
【００３６】
図３に基づいて説明する。図３は、ヘアドライヤー本体２をスタンド本体８へ挟持させた収納状態におけるヘアドライヤー装置１の正面図である。
【００３７】
スタンド本体８は、それぞれに凸設部９を有し、対向して形成した一対の支承部１０を備える。
【００３８】
前記凸設部９は、スタンド本体８の両側面に形成され、外表面には滑り止め部材を有する。
【００３９】
前記支承部１０は、ゴム状の弾力性を有する材質からなるエラストマーで形成され、スタンド本体８の上方に形成される。
【００４０】
スタンド本体８は、支承部１０とヘアドライヤー本体２に設けられた凹設部４を弾性係合し、ヘアドライヤー本体２を挟持する。
【００４１】
次に図４に基づいて説明する。図４は、本発明の一実施例にかかる図３のヘアドライヤー装置の平面図である。
【００４２】
ヘアドライヤー本体２を使用者が手に取って使用する場合、スタンド本体８から給電コード６を延出する。延出された給電コード６を元の収納状態に戻す際は、ヘアドライヤー本体コードリール巻取りボタン１１を押下する。
【００４３】
また、スタンド本体８が通電中であるかどうかの確認はインジケータ１２によって行う。スタンド本体８が商用交流電源に接続されている状態であれば、インジケータ１２に設けられるＬＥＤ（Ｌｉｇｈｔ  Ｅｍｉｔｔｉｎｇ  Ｄｉｏｄｅ）が点灯する。スタンド本体８が商用交流電源と接続されておらず、電源が供給されていない状態ではＬＥＤは点灯をせず消灯状態となる。
【００４４】
前記吹出口７は、スタンド本体８の載置面が並行位置にある時、ヘアドライヤー本体２の全長はスタンド本体８の全長寸法内に収設する。
【００４５】
前記支承部１０は、ヘアドライヤー本体１１の凹設部４に当接する際、筒状ケース３を左右から一定の圧力で押圧し、筒状ケース３を挟持する。この際、支承部１０は軟らかい素材からなるため、筒状ケース３の外側壁を傷つけずに挟持する。
【００４６】
図５に基づいて説明する。図５は、図１のヘアドライヤー装置１をＡ−Ａ線で切断した断面図である。
【００４７】
スタンド本体８は、ヘアドライヤー本体２に連結する給電コード６とコード巻取器１３から導出し商用交流電源に接続する電源コード１４、及びプラグ１５を有する。
【００４８】
コード巻取器１３は、スタンド本体８の内部下方に配設され、スタンド本体のコードリール部１６とヘアドライヤー本体のコードリール部１７で構成される。
【００４９】
スタンド本体のコードリール部１６は電源コード１４と繋がっており、ヘアドライヤー本体のコードリール部１７は給電コード６と繋がっている。
【００５０】
また、スタンド本体のコードリール部１６とヘアドライヤー本体のコードリール部１７は、コード接続端子１８とコード接続端子１９を介して互いに接続される。コード接続端子１８とコード接続端子１９は、商用交流電源から供給される電力をヘアドライヤー本体２へ供給する。
【００５１】
また、前記コード巻取器１３は、給電コード６と電源コード１４を扁平状に巻き取り、これらコードが巻き取られた扁平面は支承部１０の延設方向と交差するようになる。
【００５２】
図６に基いて説明する。図６はヘアドライヤー装置１を使用中の状態においてＡ−Ａ線で切断した断面図である。
【００５３】
本発明に関わるヘアドライヤー装置１の使用方法を以下に説明する。
【００５４】
まず、スタンド本体８から電源コード１４、プラグ１５を引き出し、商用交流電源にプラグ１５を接続する。この際、インジケータ１２のＬＥＤは点灯し、スタンド本体８は通電状態となる。
【００５５】
次に、ヘアドライヤー本体２の電源スイッチ５をＯＮにすると、商用交流電源より電源コード１４、コード接続端子１８とコード接続端子１９、給電コード６、ヘアドライヤー本体２の順に電力が供給される。
【００５６】
ヘアドライヤー本体２の凹設部４とスタンド本体８の支承部１０を弾性係合した状態で支承部１０を中心軸にして回動する。
【００５７】
前記支承部１０を中心軸とすると、ヘアドライヤー本体２の水平方向とスタンド本体８の載置面が並行となる位置を基準（０度）として、吹出口７を上方に５０度付近まで傾けて調節可能である。
【００５８】
ドライヤー本体２より吹き出す風の向きを変更する方法は、ヘアドライヤー本体２の給電コード６方向にあたる筒状ケース３の後部を押さえる。この時、筒状ケース３の先端に位置する吹出口７は上方へ傾き、ヘアドライヤー本体２より吹き出る風は、前記吹出口７の傾いた方向に送風される。
【００５９】
ヘアドライヤー本体２の吹出口７を最下位置に回動した場合は、ヘアドライヤー本体２の水平方向とスタンド本体８の載置面が並行位置、又は小仰角位置にて停止する。
【００６０】
また、ヘアドライヤー本体２はスタンド本体８から取り外して使用可能である。
【００６１】
この場合、使用者はヘアドライヤー本体２の筒状ケース３を手に取って、給電コード６を延出させて使用者の頭髪に近づけて使用することが出来る。筒状ケース３は手に持ちやすい形状となっているため、容易に手に掴め、髪の隅々までブローすることが可能となる。
【００６２】
ヘアドライヤー本体２の使用後は、ヘアドライヤー本体コードリール巻取りボタン１１を押下する。前記給電コード６は、ヘアドライヤー本体のコードリール部１７と繋がっているので、このヘアドライヤー本体のコードリール部１７が給電コード６を巻き上げ回転し、元の収納状態になるまで回転を続ける。給電コード６の収納が終わるとヘアドライヤー本体のコードリール部１７の回転は止まり、スタンド本体８から延出された給電コード６はスタンド本体内部に収納される。
【００６３】
さらに、プラグ１５を商用交流電源から外し、スタンド本体コードリール巻取りボタン２０を押下する。スタンド本体のコードリール部１６は電源コード１４の巻き上げ回転を始め、スタンド本体８から導出された電源コード１４、プラグ１５がスタンド本体８の内部に収納されるまで回転を続ける。プラグ１５の収納が終わるとスタンド本体のコードリール部１６の回転は止まり、電源コード１４、プラグ１５はスタンド本体内部に収納された状態となる。
【００６４】
またスタンド本体８は、壁掛け部２１を形成する。壁掛け部２１は、壁等の側面に突き出ている箇所にヘアドライヤー装置１を吊り下げて使用する際、ヘアドライヤー装置１を壁等の垂直側面に引っ掛ける箇所であり、ストッパーの役割を果たす。
【００６５】
ヘアドライヤー装置１を壁に引っ掛けた状態でも、支承部１０は、凹設部４を一定圧力で弾性係合し、ヘアドライヤー本体２を挟持する。
【００６６】
この状態で、吹出口７の向きを所定の方向に調節して使用可能であり、ハンズフリーの状態で髪をブローして乾かすことが可能である。
【００６７】
また、スタンド本体８を壁に引っ掛けた状態で、ヘアドライヤー本体２をスタンド本体８から着脱し、髪のブローも可能である。
【００６８】
このように本発明のヘアドライヤー装置は、スタンド本体８を机上等の設置面に置いた状態でも使用できる。また、スタンド本体８を壁に掛けた状態でも使用可能となり、髪をブローする際の使用範囲を広げるものである。さらに、ヘアドライヤー装置はコンパクトな構造であるので、持ち運びのしやすさにおいても従来のヘアドライヤーと比べても格段に優れ、快適な髪のブローを実現する。
【産業上の利用可能性】
【００６９】
本発明は、スタンド型のヘアドライヤーに広く利用可能である。
【符号の説明】
【００７０】
１        ヘアドライヤー装置
２        ヘアドライヤー本体
３        筒状ケース
４        凹設部
５        電源スイッチ
６        給電コード
７        吹出口
８        スタンド本体
９        凸設部
１０      支承部
１１      ヘアドライヤー本体コードリール巻取りボタン
１２      インジケータ
１３      コード巻取器
１４      電源コード
１５      プラグ
１６      スタンド本体のコードリール部
１７      ヘアドライヤー本体のコードリール部
１８      コード接続端子
１９      コード接続端子
２０      スタンド本体コードリール巻取りボタン
２１      壁掛け部
【図１】
2010240020.tif 000003
【図２】
2010240020.tif 000004
【図３】
2010240020.tif 000005
【図４】
2010240020.tif 000006
【図５】
2010240020.tif 000007
【図６】
2010240020.tif 000008